(57)【特許請求の範囲】
【請求項１】
スカート壁下端部にブリッジを介して一体に設けられたタンパーエビデントバンドを有し、且つスカート壁内周面に雌ネジが形成されたキャップと、外周面に前記キャップの雌ネジと螺合するネジ山が形成された容器口部を有する容器本体との組合せからなるタンパーエビデンス性を有する容器であって、前記キャップのタンパーエビデントバンドの内周面に１以上の回転止め突起が形成され、前記容器口部外周面には前記回転止め突起と係合する係止突部が形成され、且つ前記ネジ山は前記回転止め突起が軸方向に通過できる長さの不連続部を有してなり、前記キャップを容器口部に打栓により装着した状態で前記回転止め突起と前記係止突部の係合により前記タンパーエビデントバンドを開栓方向回転不能に係止するようにしたことを特徴とするタンパーエビデンス性容器。
【請求項２】
前記係止突部は、前記タンパーエビデントバンドの回転止め突起が嵌合する嵌合係止部を有する環状突条である請求項１記載のタンパーエビデンス性容器。
【請求項３】
前記係止突部は、前記タンパーエビデントバンドの回転止め突起の開栓回転方向側端部とのみ係合する係止突起である請求項１記載のタンパーエビデンス性容器。
【請求項４】
前記係止突部は、容器口部のネジ山と連続した突起状態となっている請求項１、２又は３記載のタンパーエビデンス性容器。
【請求項５】
前記キャップのスカート壁に軸方向にスリットが形成されている請求項１〜４何れか記載のタンパーエビデンス性容器。
【発明の詳細な説明】
【０００１】
【発明の属する技術分野】
本発明は、プラスチックボトル、スパウト付きパウチ等の容器本体とこれを閉栓するタンパーエビデンス性を有するプラスチックキャップの組合せからなるタンパーエビデンス性を向上させた容器に関する。
【０００２】
【従来の技術】
従来、プラスチックボトルやスパウト付きパウチ等の容器口部を、タンパーエビデンス性を有するプラスチックキャップで密封する方式として、キャップのタンパーエビデントバンド（以下、ＴＥバンドという）の内周面やその下部に屈曲自在なウイング等の屈曲係合片を形成する一方、容器口部のネジ部下方に開栓時にキャップを回動することによって前記屈曲係合片が係合する係合リングを形成し、開栓時に屈曲係合片上端縁が前記係合リングに係合することによってＴＥバンドの上昇に抵抗を与えるようにした方式のもの（例えば、特開平３−５３１８１号公報）、又はＴＥバンドの内周面にキャップの開栓方向に抵抗を与えるラチェット状の係合突起を形成する一方、容器口部には前記ＴＥバンドのラチェット状突起と係合するラチェット状突起を形成し、開栓時に前記キャップと容器の係合突起同士が係合することによってＴＥバンドの回転に抵抗を与える方式のもの（例えば、実開昭５１−５４０５６号公報）が知られている。
【０００３】
【発明が解決しようとする課題】
ネジ式キャップにおいて、タンパーエビデンス機能を確実に果たすためには、開栓時に密封解除と同時かそれより早くＴＥバンドを連結するブリッジが切れることが要求される。しかしながら、従来の場合、特に密封解除となる開栓角度が小さいキャップの場合や、ＴＥバンドの上部移動を阻止することによってブリッジを破断させる前者の方式の場合は、ＴＥバンドの回転遊び角度が比較的大きいためブリッジ切れする前に密封解除となってしまう恐れがある。そのことは、特に腐敗や酸化劣化し易い内容物が充填されている容器の場合、不正開栓があると品質保証上重大な影響を及ぼすことになる。また、後者の方式は上記欠点を解消するものであるが、やはり回転方向の遊び角度が存在するため、上記要求を完全に満たすに到っていない。
【０００４】
一方、従来のキャップの場合、閉栓時にＴＥバンドの上昇止め又は回転止めとなる部分を、ＴＥバンドの屈曲係合片や係合突起が乗り越えて行かなければならないため、ブリッジの強度を弱くすると、閉栓時にブリッジが破断してしまう欠点がある。このため、ブリッジは、閉栓時に破断しない程度にブリッジ強度を高めなければならず、これが結果として開栓時のブリッジ破壊強度を高めることにつながり、開栓し難くなると共にタンパーエビデンス性を低下させる欠点となっている。
【０００５】
そこで、本発明は、従来のボトルやスパウト付きパウチ等の容器口部をタンパーエビデンス性を有するプラスチックキャップで密封する容器の上記問題点を解決しようとするものであって、容器口部をタンパーエビデンス性を有するプラスチックキャップで密封する方式において、開栓と同時にＴＥバンドのブリッジを破壊する機構を有し、タンパーエビデンス性能を一段と高めることができ、且つ打栓で容易にキャップを装着でき、さらにブリッジの破断強度を低くできて開栓が容易であるタンパーエビデンス性容器を提供することを目的とする。
【０００６】
【課題を解決するための手段】
上記課題を解決する本発明のタンパーエビデンス性容器は、スカート壁下端部にブリッジを介して一体に設けられたタンパーエビデントバンドを有し、且つスカート壁内周面に雌ネジが形成されたキャップと、外周面に前記キャップの雌ネジと螺合するネジ山が形成された容器口部を有する容器本体との組合せからなるタンパーエビデンス性を有する容器であって、前記キャップのタンパーエビデントバンドの内周面に１以上の回転止め突起が形成され、前記容器口部外周面には前記回転止め突起と係合する係止突部が形成され、且つ前記ネジ山は前記回転止め突起が軸方向に通過できる長さの不連続部を有してなり、前記キャップを容器口部に打栓により装着した状態で前記回転止め突起と前記係止突部の係合により前記タンパーエビデントバンドを開栓方向回転不能に係止するようにしたことを特徴とするものである。
【０００７】
前記係止突部は、前記ＴＥバンドの回転止め突起が嵌合する嵌合係止部を有する環状突条、若しくは前記ＴＥバンドの回転止め突起の開栓回転方向側端部とのみ係合する係止突起として形成することができる。そして、該係止突部は、容器口部のネジ山の下方にネジ山と離して形成しても良く、ネジ山と連続した突起状態に形成しても良い。また、前記キャップのスカート壁に軸方向にスリットを形成すると、打栓がより容易となる。
【０００８】
【発明の実施の形態】
以下、本発明の実施形態を図面を基に詳細に説明する。本実施形態は、図３に明示するように、スパウト付きパウチからなる容器に適用した場合を示している。図中、１はパウチ本体（即ち、容器本体）であり、その開口上端縁部に容器口部２（スパウト）が公知の手段で固定されている。容器口部２には、タンパーエビデンス性を備えた合成樹脂製のキャップ１０が螺合されている。
【０００９】
キャップ１０は、キャップ本体１１のスカート壁１２下端にブリッジ１３を介してＴＥバンド１５が一体に設けられている。そして、スカート壁１２の内周面には、容器口部２の容器口部外周面に形成されたネジに螺合する雌ネジ１４が形成され、ＴＥバンド１５の内周側には１以上（本実施形態では４個）の回転止め突起１６が所定間隔で突出形成されている。
【００１０】
一方、容器口部２の外周面には、キャップ１０の雌ネジ１４と螺合するネジ山４が形成されていると共に、その下方外周部には、完全に打栓した状態でキャップ１０の回転止め突起１６が嵌合する大きさの嵌合係止部７を形成するように、周方向に設けられた突条からなる係止突部５を有している。打栓が完了した状態でＴＥバンドに形成された回転止め突起１６が係合係止部７に嵌合することによって、ＴＥバンドの開栓方向回転は阻止される。そして、係止突部５の嵌合係止部７の軸方向上方のネジ山４には、ＴＥバンドの回転止め突起１６が打栓により抵抗なく通過できるネジ山不連続部６が軸方向に形成されている。それにより、ＴＥバンドの内周面に回転止め突起１６を有するキャップ１０を、該回転止め突起がネジ山を乗り越える必要がなくなり、ブリッジ１３に抵抗を与えることなく、打栓により容器口部に装着することを可能としている。
【００１１】
本実施形態のタンパーエビデンス性容器は、以上のように構成され、閉栓はキャップの回転止め突起１６が容器口部２のネジ山不連続部６の上方に位置するように位置合わせた状態で、キャップ１０を打栓することにより、キャップの雌ネジは容器口部のネジ山を弾性変形により乗り越えるが、ＴＥバンド内周面に形成された回転止め突起１６は容器口部のネジ山不連続部を通過するので、ＴＥバンドのブリッジが抵抗を受けることなく打栓することができる。従って、ブリッジ１３を従来よりも弱く形成しても、打栓時に破断することがなくなり、開栓が容易なキャップが得られる。また、ＴＥバンド１５の容器口部からの分離も容易となる。
【００１２】
そして、打栓が終了した時点で、図１（ｂ）（ｃ）に示すように、キャップの回転止め突起１６が容器口部の係止突部５の嵌合係止部７に嵌合した状態に収まるので、ＴＥバンド１５の開封方向へのキャップの回転遊びが殆どなくブリッジ１３を破断することが可能となり、タンパーエビデンス性が従来と比べて飛躍的に向上する。このように、本発明によれば、密封状態でのＴＥバンド内周面に形成された回転止め突起１６と容器口部外周面に形成された係止突部５との係合により、ＴＥバンドの開封方向への回転遊びがなくなったことと、打栓時にブリッジが抵抗を受けることがないことにより、ブリッジの強度をより弱化できることの二重の理由により、開栓と同時にＴＥバンドを破断することができ、不正開栓を確実に判別することができる。
【００１３】
図４は、本発明に係るキャップの他の実施形態を示している。
本実施形態のキャップ２０は、キャップのスカート壁２１に軸方向に沿って複数のスリット２２を形成してある以外は、前記実施形態と同様な構成である。このように構成することによって、打栓時にキャップの雌ネジが容器口部のネジ山を乗り越える際のスカート壁２１の拡開が容易となり、打栓がより容易となる。なお、打栓を容易にする手段として、前記スリットを設ける代りに又はスリットと共にキャップの雌ネジにも軸方向の不連続部を設けても良い。
【００１４】
図５及び図６は、本発明に係る容器口部の他の実施形態をそれぞれ示し、これらの実施形態では容器口部外周に形成する係止突部を、ネジ山不連続部に面するネジ山３２の開栓回転方向端部下端に一体に形成してある。図５に示す実施形態の容器口部３０では、係止突部３１がキャップの回転止め突起３５の開栓回転方向端部のみと係合する係止突起として配置されている。なお、図中３３はネジ山不連続部である。
【００１５】
また、図６に示す実施形態の容器口部４０では係止突部４１は、キャップに設けられた回転止め突起４５が嵌合する部分だけが切り欠かれて、ネジ山不連続部４４と連続する嵌合係止部４３を形成するように、ネジ山４２と一体に突条に形成されている。このようにネジ山と一体に係止突部を設けることによって、容器口部の高さを低くでき、材料コストを軽減できる。さらに、容器口部を成形するための金型の構造が単純化され、金型コストを低下させると共に成形が容易となる利点がある。なお、本実施形態では回転止め突起４５、係止突部が１個のみ設けられている例を示している。
【００１６】
以上、本発明の実施形態について説明したが、本発明はこれらの実施形態に限るものでなく、その技術的思想の範囲内で種々の設計変更が可能である。例えば、ＴＥバンドに形成する回転止め突起及びそれと係合する容器口部に形成する係止突部は１以上任意の個数に適宜形成することができる。また、上記実施形態ではスパウト付きパウチに適用した場合について説明したが、本発明はスパウト付きパウチに限らず、通常のプラスチックボトルやガラスボトルにも同様に適用できることは云うまでもない。
【００１７】
【発明の効果】
以上のように本発明のタンパーエビデンス性容器によれば、キャップを容器口に打栓した状態でＴＥバンドが開栓回転方向に遊びがなく固定されるため、従来よりもブリッジ切れを早めることができ、開栓時に密封解除と同時かそれより早く確実にブリッジ切れを起こすことが可能となり、タンパーエビデンス性能を向上させることができる。
【００１８】
容器口部のネジ山に、ＴＥバンドの内周面に形成した回転止め突起が軸方向に通過できるネジ山不連続部を形成したので、打栓時にブリッジに加わる荷重を飛躍的に低減することができるため、ブリッジをより弱化して形成でき、開栓時の抵抗が減り開栓性を向上させることができる。さらに、破断したＴＥバンドは容器口部から容易に分離することができ、リサイクル適性に優れている。また、ネジ螺合のキャップを容器口部に打栓により装着できるので、密封工程が短縮でき、生産性を向上させることができる。
【図面の簡単な説明】
【図１】本発明の実施形態に係るタンパーエビデンス性容器の一部断面模式図であり、（ａ）は打栓前の状態、（ｂ）は打栓によりキャッピングした状態、（ｃ）開栓開始時の作動状態をそれぞれ示している。
【図２】図１（ｂ）のＡ−Ａ断面図である。
【図３】図１に示すタンパーエビデンス性容器をスパウト付きパウチに適用した状態を示す一部断面模式図である。
【図４】本発明の他の実施形態に係るタンパーエビデンス性容器の一部断面模式図である。
【図５】本発明のさらに他の実施形態に係るタンパーエビデンス性容器であり、（ａ）は容器口部の正面図、（ｂ）はの容器口部を密封した状態での一部断面模式図である。
【図６】本発明のさらに他の実施形態に係るタンパーエビデンス性容器であり、（ａ）は容器口部の正面図、（ｂ）はの容器口部を密封した状態での一部断面模式図である。
【符号の説明】
１  パウチ本体（容器本体）
２、３０、４０  容器口部
４、３２、４２  ネジ山
５、３１、４１  係止突部
６、３３、４４  ネジ山不連続部
７、４３  嵌合係止部
１０、２０  キャップ
１１  キャップ本体
１２、２１  スカート壁
１３  ブリッジ
１４  雌ネジ
１５  タンパーエビデントバンド
１６、３５、４５  回転止め突起
２２  スリット
【図１】
0004492768.tif 000002
【図２】
0004492768.tif 000003
【図３】
0004492768.tif 000004
【図４】
0004492768.tif 000005
【図５】
0004492768.tif 000006
【図６】
0004492768.tif 000007